(57)【要約】      （修正有）【課題】保存箱を構成する箱本体の内面部に段差などを形成させないようにしながら、この箱本体の外側に指掛け部を形成可能とする。【解決手段】折り畳まれて上面開口の四角形断面の箱本体となるブランクシートＳである。フラップ７には、第二側板部分５との間の加工線とフラップ７の端末７ａとの間に、第一折り線７ｂと、この第一折り線７ｂより端末側に位置される第二折り線７ｃとが付けられている。追加側板部分６には、フラップ７における第一折り線７ｂより先となる箇所を下方より第二側板部分５の外面と追加側板部分６の内面との間に差し込み可能とする差し込み穴６ｃが形成されている。差し込み穴６ｃの穴縁に第二折り線７ｃが位置される位置まで差し込み穴６ｃからフラップ７が引き出された状態においてフラップ７の第一折り線７ｂと第二折り線７ｃとの間に位置される箇所によって指掛け部が形成される。【選択図】図５
2017159918.tif 000002
【特許請求の範囲】
【請求項１】
折り畳まれて上面開口の四角形断面の箱本体となるブランクシートであって、
このブランクシートは、
前記箱本体の底となる四角形の底板部分と、
前記底板部分の四辺のうちの対向位置にある二辺にそれぞれ、加工線を介して連続されると共に、この加工線を中心に折り曲げ立ち上げたときに前記箱本体の二箇所の第一側壁となる二つの第一側板部分と、
前記底板部分の四辺のうちの前記第一側板部分が連続されていない二辺にそれぞれ、加工線を介して連続されると共に、この加工線を中心に折り曲げ立ち上げたときに前記箱本体の二箇所の第二側壁の内面部となる二つの第二側板部分と、
前記第二側板部分の外側において前記箱本体の前記二箇所の第二側壁の外面部となる二つの追加側板部分と、
二つの前記第二側板部分のそれぞれにおいて、前記第二側板部分における前記箱本体の箱口となる辺に加工線を介して連続されたフラップとを備えた構成となっており、
前記追加側板部分は、二つの前記第一側板部分の一方における前記箱本体の隅となる辺に加工線を介して一辺を連続させると共に、他辺を二つの前記第一側板部分の他方に接続可能に構成されており、
前記フラップには、前記第二側板部分との間の前記加工線と前記フラップの端末との間に、第一折り線と、この第一折り線より前記端末側に位置される第二折り線とが付けられており、
前記追加側板部分には、前記フラップにおける前記第一折り線より先となる箇所を下方より前記第二側板部分の外面と前記追加側板部分の内面との間に差し込み可能とする差し込み穴が形成されており、
前記差し込み穴の穴縁に前記第二折り線が位置される位置まで前記差し込み穴から前記フラップが引き出された状態において前記フラップの前記第一折り線と前記第二折り線との間に位置される箇所によって指掛け部が形成されるようにしてなる、保存箱の箱本体となるブランクシート。
【請求項２】
請求項１に記載の保存箱の箱本体となるブランクシートと、折り畳まれて前記箱本体の蓋体となるブランクシートとからなる、保存箱となるブランクシートであって、
前記蓋体となるブランクシートは、
前記箱本体の上面開口に倣った四角形の基板部分と、
前記基板部分の四辺にそれぞれ、加工線を介して連続されると共に、この加工線を中心に折り曲げ立ち上げたときに前記蓋体の立ち上がり部となる四つの側板部分とを備えており、
四つの前記側板部分のうちの対向位置にある二箇所の前記側板部分であって前記保存箱と組み合わせたときに前記フラップの外側に位置される前記側板部分に、この側板部分の中央側を外側に撓みやすくする折り線を付けさせてなる、保存箱となるブランクシート。
【発明の詳細な説明】
【背景技術】
【０００１】
各種の物品の収納などに、上面開口の箱本体と、この箱本体の上面開口を塞ぐ蓋体とからなる保存箱が利用されている。こうした保存箱は、ブランクシートの形で提供され、その利用者において組み立てられて使用に供される場合も少なくない。保存箱の箱本体は一般に四角形断面であり、この箱本体の底は、多くの場合、四つの側壁を構成する側板部分にそれぞれ連なるフラップを折り込み組み合わせることで構成される。また、こうした保存箱にあっては、その持ち運びを容易とするために、箱本体の側壁に手穴などと称される指を差し込める穴が設けられる。また、箱本体の組み立て状態を維持させるために、しばしば接着剤や粘着テープなどが使用されている。
【発明の概要】
【発明が解決しようとする課題】
【０００２】
この発明が解決しようとする主たる問題点は、この種の保存箱を構成する箱本体の内面部に段差などの収納物の毀損のおそれを生じさせる部分を形成させないようにしながら、この箱本体の外側にその持ち運びを容易とする指掛け部を適切に形成可能とする点にある。
【課題を解決するための手段】
【０００３】
前記課題を達成するために、この発明にあっては、第一の観点から、保存箱の箱本体となるブランクシートを、
折り畳まれて上面開口の四角形断面の箱本体となるブランクシートであって、
このブランクシートは、
前記箱本体の底となる四角形の底板部分と、
前記底板部分の四辺のうちの対向位置にある二辺にそれぞれ、加工線を介して連続されると共に、この加工線を中心に折り曲げ立ち上げたときに前記箱本体の二箇所の第一側壁となる二つの第一側板部分と、
前記底板部分の四辺のうちの前記第一側板部分が連続されていない二辺にそれぞれ、加工線を介して連続されると共に、この加工線を中心に折り曲げ立ち上げたときに前記箱本体の二箇所の第二側壁の内面部となる二つの第二側板部分と、
前記第二側板部分の外側において前記箱本体の前記二箇所の第二側壁の外面部となる二つの追加側板部分と、
二つの前記第二側板部分のそれぞれにおいて、前記第二側板部分における前記箱本体の箱口となる辺に加工線を介して連続されたフラップとを備えた構成となっており、
前記追加側板部分は、二つの前記第一側板部分の一方における前記箱本体の隅となる辺に加工線を介して一辺を連続させると共に、他辺を二つの前記第一側板部分の他方に接続可能に構成されており、
前記フラップには、前記第二側板部分との間の前記加工線と前記フラップの端末との間に、第一折り線と、この第一折り線より前記端末側に位置される第二折り線とが付けられており、
前記追加側板部分には、前記フラップにおける前記第一折り線より先となる箇所を下方より前記第二側板部分の外面と前記追加側板部分の内面との間に差し込み可能とする差し込み穴が形成されており、
前記差し込み穴の穴縁に前記第二折り線が位置される位置まで前記差し込み穴から前記フラップが引き出された状態において前記フラップの前記第一折り線と前記第二折り線との間に位置される箇所によって指掛け部が形成されるようにしてなる、ものとした。
【０００４】
また、前記課題を達成するために、この発明にあっては、第二の観点から、保存箱となるブランクシートを、
前記保存箱の箱本体となるブランクシートと、折り畳まれて前記箱本体の蓋体となるブランクシートとからなる、保存箱となるブランクシートであって、
前記蓋体となるブランクシートは、
前記箱本体の上面開口に倣った四角形の基板部分と、
前記基板部分の四辺にそれぞれ、加工線を介して連続されると共に、この加工線を中心に折り曲げ立ち上げたときに前記蓋体の立ち上がり部となる四つの側板部分とを備えており、
四つの前記側板部分のうちの対向位置にある二箇所の前記側板部分であって前記保存箱と組み合わせたときに前記フラップの外側に位置される前記側板部分に、この側板部分の中央側を外側に撓みやすくする折り線を付けさせてなる、ものとした。
【発明の効果】
【０００５】
この発明によれば、保存箱を構成する箱本体の内面部に段差などの収納物の毀損のおそれを生じさせる部分を形成させないようにしながら、この箱本体の外側にその持ち運びを容易とする指掛け部を適切に形成することができる。すなわち、この発明によればブランクシートから生成される箱本体の底と二つの第一側壁と二つの第二側壁の内面部をいずれも継ぎ目や合わせ目や穴によって生じる段差などのないフラットな面とすることができ、そうでありながら、箱本体の外側に前記指掛け部を適正に形成することができる。
【図面の簡単な説明】
【０００６】
【図１】図１は、この発明の一実施の形態にかかる保存箱の斜視図であり、蓋装着状態を示している。
【図２】図２は、前記保存箱の斜視図であり、蓋取り外し状態を示している。
【図３】図３は、図１におけるＡ−Ａ線位置での要部断面図であり、差し込み穴にフラップを差し込みきった様子を示している。
【図４】図４は、図１におけるＡ−Ａ線位置での要部断面図であり、差し込み穴にフラップにおける第二折り線から先が入り込んでこの第二折り線と第一折り線との間に指掛け部が形成された状態を示している。
【図５】図５は、前記保存箱を構成する箱本体となるブランクシートの表面図である。
【図６】図６は、前記箱本体となるブランクシートを折り畳んで前記箱本体を組み立てる途中の様子を示した斜視図であり、箱本体の二箇所の第二側壁の一方を構成する第二側板部分と、中間側板部分と、追加側板部分とが、いずれも展開状態にある様子を示している。
【図７】図７は、前記箱本体となるブランクシートを折り畳んで前記箱本体を組み立てる途中の様子を示した斜視図であり、図６の状態から第二側板部分を立ち上げた様子を示している。
【図８】図８は、前記箱本体となるブランクシートを折り畳んで前記箱本体を組み立てる途中の様子を示した斜視図であり、図７の状態から立ち上げられた第二側板部分の外側に中間側板部分を重ね合わせた様子を示している。
【図９】図９は、前記箱本体となるブランクシートを折り畳んで前記箱本体を組み立てる途中の様子を示した斜視図であり、図８の状態から中間側板部分の外側に追加側板部分を重ね合わせた様子を示している。
【図１０】図１０は、前記保存箱を構成する蓋体となるブランクシートの表面図である。
【図１１】図１１は、前記保存箱を構成する箱本体となるブランクシートの変更例を示した表面図である。
【発明を実施するための形態】
【０００７】
以下、図１〜図１１に基づいて、この発明の典型的な実施の形態について、説明する。この実施の形態にかかる保存箱となるブランクシート（打抜き加工されたシート材）は、折り畳まれて保存箱Ｃの箱本体１となるブランクシートＳと、折り畳まれて前記箱本体１の蓋体２となるブランクシートＳ’との、二枚のブランクシートＳ、Ｓ’から構成されている。かかるブランクシートＳ、Ｓ’は、典型的には、段ボール、板紙、合成樹脂製のシートなどから構成される。
【０００８】
前記箱本体１となるブランクシートＳは、第一に、組み立てられた状態において、底１ａと、二箇所の第一側壁１ｂ、１ｂと、二箇所の第二側壁１ｃ、１ｃとを持ち、横方向に切断したときの断面を四角形とし、上面を開口１ｆさせた、箱本体１となる（図２参照）。前記底１ａの内面部、前記第一側壁１ｂの内面部、前記第二側壁１ｃの内面部は、穴や段差などの収納物の毀損のおそれを生じさせる部分のないフラットな面となるようにしてある。また、第二に、前記第一側壁１ｂ及び前記第二側壁１ｃは、前記底１ａから箱口１ｆに亘る範囲において、穴を持たないようになっている。にもかかわらず、第三に、前記箱本体１は、その外側に、これの持ち運びを容易とする指掛け部１ｅを持つようになっている。加えて、図示の例では、前記箱本体１は、前記箱本体１となるブランクシートＳより、接着剤を使用することなく組み立てられるようになっている。同様に、図示の例では、前記蓋体２も、前記蓋体２となるブランクシートＳ’より、接着剤を使用することなく組み立てられるようになっている。
【０００９】
これにより、この実施の形態にかかる保存箱Ｃとなるブランクシートは、平面的な状態で利用者に提供することができる。前記箱本体１内への収納物の納め入れ、また、納め入れた収納物の取りだし時に、箱本体１の内面部に収納物が引っかかるなどすることがなく、こうした納め入れ及び取りだし時に箱本体１の構造が原因となって収納物の毀損を生じさせるようなことがない。また、箱本体１の持ち運びのための指掛け部１ｅは箱本体１に外部に通じた穴を設けることなく形成されていることから、箱本体１の箱口１ｆを蓋体２で閉鎖した状態（図１参照）においては、保存箱Ｃ内の空間は外部と実質的に分離され、保存箱Ｃ内に害虫や塵埃などが入り込む事態が可及的に防止される。一方、前記蓋体２には、後述のように、前記箱本体１の箱口１ｆを閉鎖した状態において、前記指掛け部１ｅの利用を損なわないようにする折り線１１ｂが付されている。加えて、前記保存箱Ｃは、その利用者において、接着剤を使用することなく、さらには、図示の例では粘着テープなども使用することなく、組立できることから、接着剤から生じるガスの影響に配慮することなく、収納物の保存に利用できる。こうしたことから、かかる保存箱Ｃは、博物館や美術館などにおいて、例えば、文書や書画などの蒐集物を保存するのに支障なく用いることができる。
【００１０】
前記保存箱Ｃの箱本体１となるブランクシートＳは、
前記箱本体１の底１ａとなる四角形の底板部分３と、
前記底板部分３の四辺のうちの対向位置にある二辺にそれぞれ、加工線３ａを介して連続されると共に、この加工線３ａを中心に折り曲げ立ち上げたときに前記箱本体１の二箇所の第一側壁１ｂ、１ｂとなる二つの第一側板部分４、４と、
前記底板部分３の四辺のうちの前記第一側板部分４が連続されていない二辺にそれぞれ、加工線３ｂを介して連続されると共に、この加工線３ｂを中心に折り曲げ立ち上げたときに前記箱本体１の二箇所の第二側壁１ｃ、１ｃの内面部となる二つの第二側板部分５、５と、
前記第二側板部分５の外側において前記箱本体１の前記二箇所の第二側壁１ｃ、１ｃの外面部となる二つの追加側板部分６、６と、
二つの前記第二側板部分５、５のそれぞれにおいて、前記第二側板部分５における前記箱本体１の箱口１ｆとなる辺に加工線５ａを介して連続されたフラップ７とを備えた構成となっている。
【００１１】
図５は前記箱本体１となるブランクシートＳを、折り畳み後に前記箱本体１の内側となる側から見て示している。
【００１２】
前記底板部分３は、前記ブランクシートＳの中央に位置される。
【００１３】
前記第一側板部分４は、前記底板部分３の上と下とに、それぞれ配されている。前記第一側板部分４と前記底板部分３との間の加工線３ａは、図５においては谷折り線となる。
【００１４】
前記第二側板部分５は、前記底板部分３の左と右とに、それぞれ配されている。前記第二側板部分５と前記底板部分３との間の加工線３ｂは、図５においては谷折り線となる。
【００１５】
前記追加側板部分６は、二つの前記第一側板部分４、４の一方における前記箱本体１の隅１ｇとなる辺に加工線６ａを介して一辺を連続させると共に、他辺を二つの前記第一側板部分４の他方に接続可能に構成されている。
【００１６】
図示の例では、追加側板部分６は、図５における右上隅と図５における左下隅に配されている。図５における右上隅に配された追加側板部分６は、図５における上側に配された第二側板部分５の右辺に加工線６ａを介して連続している。図５における左下隅に配された追加側板部分６は、図５における下側に配された第二側板部分５の左辺に加工線６ａを介して連続している。これらの加工線６ａは、図５においては谷折り線となる。
【００１７】
図示の例では、さらに、前記箱本体１となるブランクシートＳは、折り畳み状態において第二側板部分５と追加側板部分６との間に位置される中間側板部分８を備えている。
【００１８】
図示の例では、中間側板部分８は、図５における左上隅と図５における右下隅に配されている。図５における左上隅に配された中間側板部分８は、図５における上側に配された第二側板部分５の左辺に加工線８ａを介して連続している。図５における右下隅に配された中間側板部分８は、図５における下側に配された第二側板部分５の右辺に加工線８ａを介して連続している。これらの加工線８ａは、図５においては谷折り線となる。
【００１９】
図示の例では、二箇所の追加側板部分６、６にはそれぞれ、第一側板部分４との連接側と反対の前記他辺に、この他辺の長さ方向中程の位置を挟んだ両側にそれぞれ舌片状をなす差込片６ｂを備えている。一方、二箇所の中間側板部分８、８と第一側板部分４との間に位置される加工線８ａ上には、前記差込片６ｂに対応した前記加工線８ａに沿う向きに長いスリット状をなす差込孔８ｂが形成されている。
【００２０】
図示の例では、底板部分３の図５における上辺に付された加工線３ａを中心として底板部分３の上側に位置される第一側板部分４、追加側板部分６、及び中間側板部分８を立ち上げ、
底板部分３の図５における下辺に付された加工線３ａを中心として底板部分３の下側に位置される第一側板部分４、追加側板部分６、及び中間側板部分８を立ち上げ、
底板部分３の図５における左辺に付された加工線３ｂを中心として底板部分３の左側に位置される第二側板部分５を立ち上げ、
底板部分３の図５における右辺に付された加工線３ｂを中心として底板部分３の右側に位置される第二側板部分５を立ち上げることで、
底板部分３を二つの第一側板部分４、４と二つの第二側板部分５、５とにより囲繞した状態が作り出されるようになっている。
【００２１】
また、図５における左側では、上側に位置される第一側板部分４の左辺に付された加工線８ｂを中心として中間側板部分８を立ち上げられた第二側板部分５の外側に折り込むと共に、下側に位置される第一側板部分４の左辺に付された加工線６ａを中心として前記のように折り込まれた中間側板部分８の外側に追加側板部分６を折り込み、追加側板部分６の差込片６ｂを差込孔８ｂに差し込むことで、第二側板部分５と中間側板部分８と追加側板部分６との三枚を重ねるようにして箱本体１の左側の第二側壁１ｃが構成されるようになっている。差込片６ｂはその基部で折られて第二側板部分５と中間側板部分８との間に納まるようになっている。
【００２２】
また、図５における右側では、下側に位置される第一側板部分４の右辺に付された加工線８ａを中心として中間側板部分８を立ち上げられた第二側板部分５の外側に折り込むと共に、上側に位置される第一側板部分４の右辺に付された加工線６ａを中心として前記のように折り込まれた中間側板部分８の外側に追加側板部分６を折り込み、追加側板部分６の差込片６ｂを差込孔８ｂに差し込むことで、第二側板部分５と中間側板部分８と追加側板部分６との三枚を重ねるようにして箱本体１の左側の第二側壁１ｃが構成されるようになっている。差込片６ｂはその基部で折られて第二側板部分５と中間側板部分８との間に納まるようになっている（図９参照）。
【００２３】
図６〜図９に、箱本体１の組み立ての過程を示す。図６〜図９では図５における左側の第二側壁１ｃを完成させた状態において、図５における右側の第二側壁１ｃを形成させる過程を示している。
【００２４】
一方、前記フラップ７には、前記第二側板部分５との間の前記加工線５ａと前記フラップ７の端末７ａとの間に、第一折り線７ｂと、この第一折り線７ｂより前記端末７ａ側に位置される第二折り線７ｃとが付けられている。
【００２５】
図示の例では、前記フラップ７は、前記加工線５ａと前記第一折り線７ｂとの間を、前記第一折り線７ｂに近づくに連れて前記フラップ７の幅を漸減させるように構成したフラップ基部７ｅとしている。また、前記フラップ７は、前記第一折り線７ｂと前記端末７ａとの間をフラップ差込部７ｄとしている。フラップ差込部７ｄの幅は前記第一折り線７ｂと前記端末７ａとの間に亘って一定になっている。また、前記第一折り線７ｂ及び前記第二折り線７ｃはいずれも、前記加工線５ａに対し実質的に平行となるように付されている。図５において、前記加工線５ａ、前記第一折り線７ｂ、前記第二折り線７ｃは山折り線となっている。
【００２６】
前記追加側板部分６には、前記フラップ７における前記第一折り線７ｂより先となる箇所を下方より前記第二側板部分５の外面と前記追加側板部分６の内面との間に差し込み可能とする差し込み穴６ｃが形成されている。
【００２７】
図示の例では、前記差し込み穴６ｃは、前記追加側板部分６を立ち上げた状態において、前記箱本体１の箱口１ｆ側に位置される穴口縁６ｄをこの箱口１ｆと平行とし、前記箱本体１の底１ａ側に位置されり穴口縁６ｅを前記箱口１ｆ側を湾曲内側とするように湾曲させた構成となっている。また、図示の例では、前記中間側板部分８に前記のように折り込まれたときに追加側板部分６の内側において前記差し込み穴６ｃの箱口１ｆ側の穴口縁６ｄに沿うように位置されてこの差し込み穴６ｃに連通するスリット８ｃが形成されている。
【００２８】
図示の例では、図２の手前側及び奥側のそれぞれにおいて、フラップ７のフラップ基部７ｅを第二側板部分５との間に箱口１ｆを形成しながら追加側板部分６の外側において垂下させると共に、フラップ差込部７ｄを前記差し込み穴６ｃとスリット８ｃとを通じて下方から中間側板部分８と第二側板部分５の間に差し込んで、フラップ７によって第二側板部分５の外側に立ち上げられた追加側板部分６と中間側板部分８の差し込み穴６ｃより上方に位置される箇所を巻き込むようになっている（図３、図４参照）。差し込み穴６ｃにフラップ差込部７ｄを差し込みきった状態においては第一折り線７ｂが差し込み穴６ｃの箱口１ｆ側の穴口縁６ｄ近傍に位置され、フラップ基部７ｄの内面が追加側板部分６の外面に添装されるようになっている（図３参照）。
【００２９】
そして、前記差し込み穴６ｃの穴縁に前記第二折り線７ｃが位置される位置まで前記差し込み穴６ｃから前記フラップ７が引き出された状態において前記フラップ７の前記第一折り線７ｂと前記第二折り線７ｃとの間に位置される箇所によって、箱本体１の底１ａ側に向いた段差としての指掛け部１ｅが形成されるようになっている（図４参照）。
【００３０】
一方、前記蓋体２となるブランクシートＳ’は、
前記箱本体１の上面開口１ｄに倣った四角形の基板部分９と、
前記基板部分９の四辺にそれぞれ、加工線９ａ、９ｂを介して連続されると共に、この加工線９ａ、９ｂを中心に折り曲げ立ち上げたときに前記蓋体２の立ち上がり部２ａとなる四つの側板部分１０…１１とを備えた構成となっている。
【００３１】
図示の例では、前記蓋体２となるブランクシートＳ’における図１０における上側と下側に位置される側板部分１０は、前記加工線９ａを中心に立ち上げた後に、この加工線９ａと平行な折り線１０ａを中心にこの折り線１０ａと端末との間が蓋体２の内側に位置されるように二つ折りできるように構成されている。この側板部分１０の端末には、基板部分９に形成した差込孔９ｃに差し込まれて前記二つ折り状態を維持する差込片１０ｃが形成されている。
【００３２】
図示の例では、前記蓋体２となるブランクシートＳ’における図１０における左側と右側に位置される側板部分１１は、図１０における上側と下側とにそれぞれ、蓋体２の隅２ｂとなる加工線１１ａを介してこの側板部分１１に連続した図中符号１２で示す延長片を有しており、この延長片１２は前記のように二つ折りにされた側板部分１０内に納められるようになっている。
【００３３】
そして、四つの前記側板部分１０…１１のうちの対向位置にある二箇所の前記側板部分１１、１１であって前記保存箱Ｃと組み合わせたときに前記フラップ７の外側に位置される前記側板部分１１に、この側板部分１１の中央側を外側に撓みやすくする折り線１１ｂが付されている。図示の例では、前記蓋体２となるブランクシートＳ’における図１０における左側と右側に位置される側板部分１１にそれぞれ前記折り線１１ｂが付されている。
【００３４】
図示の例では、前記側板部分１１には二つの折り線１１ｂ、１１ｂが付されている。二つの折り線１１ｂ、１１ｂの一方は、基板部分９の図１０における上側に位置される角９ｄを始端とし、前記側板部分１１の長さ方向略中程の位置を通る図１０の左右方向に沿った仮想の中心線ｘと図１０における上側に位置される前記側板部分１１の端末側の角１１ｃとの間に終端を位置させており、二つの折り線１１、１１の他方は、基板部分９の図１０における下側に位置される角９ｅを始端とし、前記側板部分１１の長さ方向略中程の位置を通る図１０の左右方向に沿った仮想の中心線ｘと図１０における下側に位置される前記側板部分１１の端末側の角１１ｄとの間に終端を位置させている。
【００３５】
前記蓋体２を前記箱本体１の上部に取り付けて前記箱本体１の上面開口１ｄを塞いだ蓋装着状態においては、前記のように付された．折り線１１ｂにより外側に撓みやすくなった側板部分１１により構成された蓋体２の立ち上がり部２ａが前記フラップ７のフラップ基部７ｅの外側に位置されるようになっている。これにより、かかる蓋装着状態においても箱本体１の二箇所の第二側壁１ｃ、１ｃの外側にそれぞれ、前記指掛け部１ｅが確保できるようになっている（図４参照）。
【００３６】
図１１は、前記箱本体１となるブランクシートＳの一部構成の変更例を示している。この例では、追加側板部分６は第二側板部分５と同じ幅を持つが、中間側板部分８の幅はこれらの幅より小さくなっている。
【００３７】
なお、当然のことながら、本発明は以上に説明した実施態様に限定されるものではなく、本発明の目的を達成し得るすべての実施態様を含むものである。
【符号の説明】
【００３８】
Ｓ  ブランクシート
１  箱本体
１ｅ  指掛け部
５  第二側板部分
６  追加側板部分
６ｃ  差し込み穴
７  フラップ
７ａ  端末
７ｂ  第一折り線
７ｃ  第二折り線
【図１】
2017159918.tif 000003
【図２】
2017159918.tif 000004
【図３】
2017159918.tif 000005
【図４】
2017159918.tif 000006
【図５】
2017159918.tif 000007
【図６】
2017159918.tif 000008
【図７】
2017159918.tif 000009
【図８】
2017159918.tif 000010
【図９】
2017159918.tif 000011
【図１０】
2017159918.tif 000012
【図１１】
2017159918.tif 000013